(57)【要約】【課題】クッションが経年劣化により収縮した場合にも、このクッションを座部本体に容易に取付けることができる浴室用椅子を提供する。【解決手段】浴室用椅子は座部２を具備している。座部２は、座部本体３と、座部本体３に着脱自在に取り付けられるクッション６とを備える。座部本体３が有する板部３０に、板部３０の周縁部に沿ってリング状に、上方に開口した嵌込穴３７が複数形成される。クッション６は、板部３０の上面に沿って配置される天板部６１を有する。天板部６１に、下方に向かって突出した突部６０が複数形成される。各突部６０は、嵌込穴３７に嵌め込まれる嵌込部６４を有する。各嵌込穴３７が、上下方向から見て当該嵌込穴３７と天板部６１の中心とを通過する仮想線と平行な方向に長い長穴である。【選択図】図３
2020175225.tif 000002
【特許請求の範囲】
【請求項１】
座部を具備し、
前記座部は、
座部本体と、
弾性を有しかつ前記座部本体よりも柔らかい材料から形成され、前記座部本体に着脱自在に取り付けられるクッションとを備え、
前記座部本体は、矩形板状の板部を有し、
前記板部に、前記板部の周縁部に沿ってリング状に、上方に開口した嵌込穴が複数形成され、
前記クッションは、前記板部の上面に沿って配置される矩形板状の天板部を有し、
前記天板部に、前記嵌込穴に対応し、前記天板部の周縁部に沿ってリング状に、下方に向かって突出した突部が複数形成され、
前記複数の突部の各々は、前記嵌込穴に嵌め込まれる水平断面円形の嵌込部を有し、
前記複数の嵌込穴の各々が、上下方向から見て当該嵌込穴と前記天板部の中心とを通過する仮想線と平行な方向に長い長穴であり、
前記嵌込部は、その直径が上下方向から見て前記嵌込穴の長さ方向と直交する方向における寸法と略同じに形成され、
前記嵌込部の下端に、その直径が前記嵌込部の直径よりも大きい水平断面形状円形で、前記嵌込穴を弾性変形により貫通して前記板部の下方に配置される抜止部が設けられたことを特徴とする浴室用椅子。
【請求項２】
前記クッションが前記座部本体に取り付けられた状態において、前記嵌込部は、対応する前記嵌込穴において、上下方向から見て前記板部の中心とは反対側の端部に位置することを特徴とする請求項１に記載の浴室用椅子。
【請求項３】
上下方向から見て前記板部の中心に円形の嵌込孔を設け、
前記天板部において前記嵌込孔に対応する箇所に、前記嵌込孔に嵌め込まれる水平断面円形の突部が形成されていることを特徴とする請求項１または請求項２に記載の浴室用椅子。
【発明の詳細な説明】
【技術分野】
【０００１】
本発明は浴室用椅子に関する。
【背景技術】
【０００２】
特許文献１には、浴槽内における椅子として利用される浴槽台が開示されている。この浴槽台は、台部と、台部を支持する支持脚とを備えている。この浴槽台は、浴槽内の湯中に沈められ、浴槽の底面に載置されて利用される。
【先行技術文献】
【特許文献】
【０００３】
【特許文献１】特開２００７−２６７８２３号公報
【発明の概要】
【発明が解決しようとする課題】
【０００４】
特許文献１には、台部の上面にクッションが取り付けられることが開示されていない。ましてや、特許文献１には、クッションが、経年劣化により収縮した場合に、このクッションを台部に容易に取付けられるようにする技術も開示されていない。
【０００５】
本発明は前記事情に鑑みてなされたものであって、クッションが経年劣化により収縮した場合にも、このクッションを座部本体に容易に取付けることができる浴室用椅子を提供することを目的とする。
【課題を解決するための手段】
【０００６】
前記目的を達成するために本発明に係る一態様の浴室用椅子は、以下に示す特徴を有する。浴室用椅子は、座部を具備する。前記座部は、座部本体と、クッションとを備える。前記クッションは、弾性を有しかつ前記座部本体よりも柔らかい材料から形成され、前記座部本体に着脱自在に取り付けられる。前記座部本体は、矩形板状の板部を有する。前記板部に、前記板部の周縁部に沿ってリング状に、上方に開口した嵌込穴が複数形成される。前記クッションは、前記板部の上面に沿って配置される矩形板状の天板部を有する。前記天板部に、前記嵌込穴に対応し、前記天板部の周縁部に沿ってリング状に、下方に向かって突出した突部が複数形成される。前記複数の突部の各々は、前記嵌込穴に嵌め込まれる水平断面円形の嵌込部を有する。前記複数の嵌込穴の各々が、上下方向から見て当該嵌込穴と前記天板部の中心とを通過する仮想線と平行な方向に長い長穴である。前記嵌込部は、その直径が上下方向から見て前記嵌込穴の長さ方向と直交する方向における寸法と略同じに形成される。前記嵌込部の下端に、その直径が前記嵌込部の直径よりも大きい水平断面形状円形で、前記嵌込穴を弾性変形により貫通して前記板部の下方に配置される抜止部が設けられる。
【発明の効果】
【０００７】
本発明に係る一態様の浴室用椅子は、クッションが経年劣化により収縮した場合にも、クッションを座部本体に容易に取付けることができる。
【図面の簡単な説明】
【０００８】
【図１】図１は、本発明に係る第１実施形態の浴室用椅子の斜視図である。
【図２】図２は、同上の浴室用椅子の下側から見た斜視図である。
【図３】図３は、図７のＡ−Ａ線断面図である。
【図４】図４は、同上の浴室用椅子のクッションの図示を省略した斜視図である。
【図５】図５Ａは、同上の浴室用椅子の座部本体の下側から見た斜視図であり、図５Ｂは図５Ａの要部拡大図である。
【図６】図６は、同上のクッションの下側から見た斜視図である。
【図７】図７は、同上の浴室用椅子の座部の下側から見た斜視図である。
【図８】図８は、同上の浴室用椅子のコア部の斜視図である。
【図９】図９は、図５のＢ−Ｂ線断面図である。
【図１０】図１０は、同上のコア部と、金型を示した斜視図である。
【図１１】図１１は、同上のコア部を金型にセットして型締めした状態を示した要部の縦断面図である。
【図１２】図１２は、本発明に係る第２実施形態の浴室用椅子の斜視図である。
【図１３】図１３は、同上の浴室用椅子の座部本体及びクッションを示した分解斜視図である。
【発明を実施するための形態】
【０００９】
以下に示す各実施形態は、浴室用椅子に関し、詳しくは、浴室で用いられる浴室用椅子に関する。
【００１０】
以下に示す各実施形態の浴室用椅子は、座部本体に取り付けられるクッションが、経年劣化により収縮した場合にも、クッションを座部本体に容易に取付けることができる浴室用椅子である。以下、各実施形態について詳述する。
【００１１】
（第１実施形態）
図１に示す第１実施形態の浴室用椅子（以下、椅子という）は、浴槽内に設置されて腰掛けとして利用される浴槽台である。
【００１２】
椅子は、脚部１と、脚部１で支持される座部（台部材）２とを具備している。脚部１は複数の脚１０を備えている。本実施形態の脚部１は、図２に示すように４本の脚１０で構成されている。
【００１３】
複数の脚１０の各々は、上下方向に長い柱部１１と、柱部１１の下端部に設けられた設置部１２とを有している。柱部１１は金属製（詳しくはステンレンス製）であり、設置部１２は合成ゴム製である。設置部１２の下面には、浴槽の底面（底部上面）に吸着可能な複数の吸盤１３が形成されている。
【００１４】
図２及び図３に示すように、座部２は、複数の脚１０により支持される座部本体（台部）３と、座部本体３に着脱可能に取り付けられるクッション６とを備えている。
【００１５】
図４にクッション６の図示を省略した椅子を示す。座部本体３は上下方向から見て点対称形状に形成されている。座部本体３は、板部３０と、板部３０の周縁部から下方に向かって突出した周縁部３２とを有している。板部３０は上下方向から見て一方向に長い矩形の板状に形成されている。上下方向から見て、座部本体３の中心は、板部３０の中心と一致する。板部３０の上面は平滑である。
【００１６】
周縁部３２は上下方向から見て板部３０の長手方向に長い矩形枠状に形成されている。周縁部３２の外周面は、板部３０の上面に連続した面である。
【００１７】
図５Ａに示すように、矩形状の板部３０の四隅部の各々には、下方に向かって突出した筒部３３が形成されている。各筒部３３の内側には、下方に向かって開口した穴３４が形成されている。各筒部３３の穴３４には、図２に示すように脚１０の柱部１１の上端部が嵌め込まれる。
【００１８】
図５Ａに示すように板部３０には複数の貫通孔３５が形成されている。各貫通孔３５は板部３０を上下方向に貫通している。本実施形態の複数の貫通孔３５は、複数のねじ用孔３６と、複数の水抜孔３１とを含む。
【００１９】
ねじ用孔３６は、板部３０において各筒部３３の穴３４に対応する部分に形成されている。各ねじ用孔３６には上方から図４に示すねじ３８が挿通される。各ねじ３８は対応する柱部１１の上端部に設けられた雌ねじ（図示せず）にねじ込まれる。これにより、各脚１０は座部本体３に取り付けられる。
【００２０】
図５Ａに示すように本実施形態の板部３０には、多数の水抜孔３１が形成されており、これら多数の水抜孔３１は、板部３０において概ね均一に分布している。各水抜孔３１の上下方向から見た形状は、円形である。
【００２１】
複数の貫通孔３５は、複数の嵌込孔３７をさらに含む。複数の嵌込孔３７の各々は、上方に開口した嵌込穴を構成する。本実施形態の板部３０には、多数の嵌込孔３７が形成されており、これら多数の嵌込孔３７は板部３０において概ね均一に分布している。
【００２２】
複数の嵌込孔３７には、図６に示すクッション６の下面に形成された複数の突部６０がそれぞれ着脱可能に嵌め込まれる。これにより、クッション６は、図７に示すように座部本体３に取り付けられる。なお、クッション６は座部本体３から取り外すことができる。また、クッション６が座部本体３に取り付けられた状態では、上下方向から見て、板部３０の中心はクッション６の中心と一致する。
【００２３】
図４に示すように、複数の嵌込孔３７は、上下方向から見て板部３０の中心に位置する嵌込孔３７１と、上下方向から見て板部３０の中心から外れて位置する複数の嵌込孔３７２とを含んでいる。以下、嵌込孔３７１を第１嵌込孔３７１といい、嵌込孔３７２を第２嵌込孔３７２という。
【００２４】
第１嵌込孔３７１の上下方向から見た形状は、円形である。複数の第２嵌込孔３７２は、上下方向から見て板部３０の中心を中心とした仮想楕円上に並んでいる。複数の第２嵌込孔３７２の各々は、上下方向から見て当該第２嵌込孔３７２と、板部３０の中心（座部本体３の中心）とを通過する仮想線Ｌと平行な方向に長い長穴である。
【００２５】
図５Ａに示すように、板部３０の下面には、補強リブ３９が形成されている。補強リブ３９は、第１リブ３９１と、複数の第２リブ３９２と、複数の第３リブ３９３とを有している。
【００２６】
第１リブ３９１は第１嵌込孔３７１の周縁部に形成されており、第１嵌込孔３７１を囲んだ円筒状に形成されている。
【００２７】
板部３０に形成された複数の第２嵌込孔３７２は、矩形状の板部３０の一対の対角線上に位置した複数の第２嵌込孔３７２ａを含んでいる。各第２嵌込孔３７２ａの周縁部には、第２リブ３９２が形成されている。各第２リブ３９２は、対応する第２嵌込孔３７２ａを囲んだ楕円筒状に形成されている。
【００２８】
複数の第３リブ３９３は、矩形状の板部３０の一対の対角線上に位置している。複数の第３リブ３９３の各々は、矩形状の板部３０の対角線と平行な方向に延びている。
【００２９】
第１リブ３９１と各第２リブ３９２とは、複数の第３リブ３９３を介して連続している。各第２リブ３９２と対応する筒部３３とは、複数の第３リブ３９３を介して連続している。
【００３０】
本実施形態の座部本体３は、インサート成形品であり、図３に示すように、コア部４と、コア部４の全体を覆うように成形された成形部（樹脂成形部）５とを有している。成形部５は、座部本体３の外面の全体を構成している。すなわち、成形部５は、板部３０の上面と下面、周縁部３２の外周面と内周面、及び各貫通孔３５の内周面を構成している。また、前述した筒部３３及び補強リブ３９は、成形部５の一部である。
【００３１】
コア部４の密度は、成形部５の密度よりも大きく、かつ水の密度よりも大きい。本実施形態のコア部４は、金属製であり、具体的にコア部４は、亜鉛メッキ処理がなされたＳＰＣＣ（冷間圧延鋼板）である。
【００３２】
図８に示すように、コア部４は、板状部４０と、板状部４０の周縁部から下方に向かって突出した周片部４１とを有している。
【００３３】
板状部４０は、上下方向から見て板部３０（図４参照）の長手方向に長い矩形の板状に形成されている。板状部４０において各貫通孔３５（各ねじ用孔３６、各水抜孔３１、及び各嵌込孔３７（図５Ａ参照））に対応する部分には、上下方向に貫通した孔４２が形成されている。
【００３４】
図３に示す成形部５は、合成樹脂製であり、具体的にはガラス繊維が添加されたポリプロピレンから形成されている。ポリプロピレンは耐薬品性に優れるため、成形部５に洗剤等がかかったとしても、成形部５の物性や外観等に影響が出難い。
【００３５】
成形部５は、上覆部５０、下覆部５１、外周覆部５２、及び複数の孔覆部５３を有している。
【００３６】
上覆部５０は板状部４０の上面の全体を覆っている。下覆部５１は板状部４０の下面の全体を覆っている。外周覆部５２は周片部４１の全体を覆っている。複数の孔覆部５３は、複数の孔４２の内周面の全体をそれぞれ覆っている。
【００３７】
上覆部５０の周縁部と下覆部５１の周縁部とは、外周覆部５２を介して連続している。
【００３８】
座部本体３の板部３０は、コア部４の板状部４０、並びに、成形部５の上覆部５０、下覆部５１、及び複数の孔覆部５３で構成されている。座部本体３の周縁部３２は、コア部４の周片部４１と、成形部５の外周覆部５２とで構成されている。
【００３９】
複数の孔覆部５３の各々は、筒状に形成されている。各孔覆部５３の内側には、前述した貫通孔３５が形成されている。
【００４０】
本実施形態の複数の孔覆部５３は、複数の第１孔覆部５３１と、複数の第２孔覆部５３２（図５Ａ参照）とで構成されている。
【００４１】
複数の第１孔覆部５３１の各々は、上覆部５０及び下覆部５１と連続している。複数の第２孔覆部５３２の各々は、後述する筒体５４（図５Ａ参照）で構成されており、上覆部５０及び下覆部５１とは別部材（別体）である。本実施形態の成形部５は２つの第２孔覆部５３２を有している。
【００４２】
図３に示すように、成形部５のうち、上覆部５０、下覆部５１、外周覆部５２、及び複数の第１孔覆部５３１は、一体に形成されており、連続している。各第１孔覆部５３１の内側に形成された孔は、前述したねじ用孔３６（図５Ａ参照）、水抜孔３１、又は嵌込孔３７を構成している。
【００４３】
各第２孔覆部５３２は、図９に示すように、上覆部５０及び下覆部５１とは別部材の筒体５４で構成されている。各筒体５４の内側に形成された孔は、水抜孔３１を構成している。なお、成形部５における筒体５４と筒体５４以外の部分とは、同じ材料から形成されてもよいし、異なる材料から形成されてもよい。
【００４４】
図８に示すように、板状部４０に形成された複数の孔４２のうち、各筒体５４（図５Ａ参照）に対応する孔４２は、筒体５４を支持する支持孔４２１を構成している。各筒体５４は、図９に示すように、対応する支持孔４２１に嵌め込まれて、板状部４０に支持されている。
【００４５】
各筒体５４の上端部の外周面は、上覆部５０に接合（一体化）されている。各筒体５４の下端部の外周面は、下覆部５１に接合（一体化）されている。これにより、上覆部５０と下覆部５１とは、複数の第２孔覆部５３２（筒体５４）を介して接続されている。
【００４６】
座部本体３は例えば図１０及び図１１に示す金型８を用いてインサート成形される。金型８は、座部本体３（図５Ａ参照）の下面を成形する第１型８１と、座部本体３の上面を成形する第２型８２とを備えている。
【００４７】
第２型８２において座部本体３の上面を成形する成形面８３には、第１型８１側に向かって突出し、コア部４の複数の孔４２にそれぞれ挿入される複数のピン８４が設けられている。各ピン８４は対応する孔４２よりも一回り小さい。
【００４８】
座部本体３をインサート成形する際、第２型８２の複数のピン８４のうちの各支持孔４２１に対応するピン８４には、図１０に示すように筒体５４が取り付けられる。これら筒体５４の取り付けは、筒体５４の内側の孔（水抜孔３１）に、ピン８４を挿入することで行われる。
【００４９】
この後、図１１に示すようにコア部４の各支持孔４２１に、対応する筒体５４が嵌め込まれ、これにより、コア部４が複数の筒体５４を介して複数のピン８４で支持される。なお、複数のピン８４を複数の筒体５４にそれぞれ挿入する工程は、複数の筒体５４が複数の支持孔４２１のそれぞれに嵌め込まれた後に行われてもよい。
【００５０】
上述のようにコア部４が複数の筒体５４を介して複数のピン８４で支持された後、金型８が型締めされる。そして、この状態で、成形部５（図３参照）において筒体５４を除く部分となる樹脂材料が、金型８内に充填される。これにより、図３に示す、上覆部５０、下覆部５１、外周覆部５２、及び複数の第１孔覆部５３１が成形される。このように成形された座部本体３は、上覆部５０、下覆部５１、外周覆部５２、及び複数の第１孔覆部５３１が、コア部４と一体化し、かつ上覆部５０及び下覆部５１が、複数の筒体５４（図９参照）と一体化した座部本体３が成形される。なお、各第１孔覆部５３１は、前記成形時において、対応するピン８４と、コア部４の対応する孔４２の周縁部との間の隙間に充填された合成樹脂により構成される。
【００５１】
図７に示すように座部本体３に取り付けられるクッション６は、弾性を有しかつ座部本体３よりも柔らかい材料から形成されている。具体的にクッション６の材料は、防カビ材が添加されたＥＶＡ（ethylene-vinyl acetate copolymer）樹脂である。
【００５２】
図６に示すように、クッション６は、上下方向から見て点対称形状に形成されている。クッション６は、天板部６１と、天板部６１の周縁部から下方に向かって突出した周壁部６３とを有している。
【００５３】
天板部６１は上下方向から見て座部本体３の板部３０（図７参照）よりも一回り大きい矩形状であり、周壁部６３は上下方向から見て座部本体３の周縁部３２（図７参照）よりも一回り大きい矩形枠状である。上下方向から見て、クッション６の中心は、天板部６１の中心と一致する。
【００５４】
図７に示すように、クッション６の周壁部６３の内側には、座部本体３が嵌め込まれる。この嵌込状態における天板部６１（図６参照）は、座部本体３の板部３０の上面に沿う。
【００５５】
図６に示すように、天板部６１において座部本体３の各水抜孔３１（図４参照）に対応する箇所には、上下方向に貫通した水抜孔６２が形成されている。以下、座部本体３に形成された各水抜孔３１を第１水抜孔３１といい、クッション６に形成された各水抜孔６２を第２水抜孔６２という。
【００５６】
各第２水抜孔６２の上下方向から見た形状は、円形である。図７に示すように、クッション６が座部本体３に取り付けられた状態では、各第２水抜孔６２は、対応する第１水抜孔３１に通じる。
【００５７】
図６に示すように、天板部６１の下面において座部本体３の各嵌込孔３７（図７参照）に対応する箇所には、前述した突部６０が形成されている。天板部６１に形成された複数の突部６０は、第１突部６０１と、複数の第２突部６０２とを含む。第１突部６０１は、天板部６１において第１嵌込孔３７１（図７参照）に対応する箇所に形成されている。複数の第２突部６０２は、天板部６１において複数の第２嵌込孔３７２（図７参照）に対応する箇所にそれぞれ形成されている。
【００５８】
図７に示すように、クッション６の周壁部６３の内側に座部本体３が嵌め込まれることで、第１突部６０１が第１嵌込孔３７１に嵌め込まれ、かつ複数の第２突部６０２が複数の第２嵌込孔３７２にそれぞれ嵌め込まれる。これにより、クッション６は座部本体３に取り付けられる。
【００５９】
図６に示すように第１突部６０１は天板部６１から下方に向かって突出している。本実施形態の第１突部６０１は、下方ほど小径になる円錐台状に形成されている。
【００６０】
複数の第２突部６０２の各々は、嵌込部６４を有している。各第２突部６０２の嵌込部６４は、円柱状に形成されており、水平断面形状が円形である。
【００６１】
複数の第２突部６０２のうち、第２嵌込孔３７２ａ以外の第２嵌込孔３７２（図５Ａ参照）に対応する第２突部６０２ａは、抜止部６５をさらに有している。
【００６２】
各第２突部６０２ａの抜止部６５は、嵌込部６４の下方に位置し、第２突部６０２ａの下部を構成している。各第２突部６０２ａの抜止部６５の上端は、当該第２突部６０２ａの嵌込部６４の下端に繋がっている。なお、第２突部６０２ａを除く第２突部６０２は、上部よりも大径の下部により、嵌込部６４が構成されており、抜止部６５を有していない。
【００６３】
各第２突部６０２（第２突部６０２ａを含む）の嵌込部６４の直径は、対応する第２嵌込孔３７２（図５Ａ及び図５Ｂ参照）の幅Ｗ（上下方向から見て当該第２嵌込孔３７２の長さ方向と直交する方向における寸法）と略同じである。各第２突部６０２（第２突部６０２ａを含む）の嵌込部６４の直径は、対応する第２嵌込孔３７２の長さＬ１（図５Ｂ参照）よりも短い。すなわち、各第２突部６０２の嵌込部６４は、対応する第２嵌込孔３７２と比較して、当該第２嵌込孔３７２の長さ方向における寸法が小さい。
【００６４】
各第２突部６０２ａの抜止部６５の水平断面形状は、円形である。各第２突部６０２ａの抜止部６５の直径は、当該第２突部６０２ａの嵌込部６４の直径よりも大きい。各第２突部６０２ａの抜止部６５の外周部は、当該第２突部６０２ａの嵌込部６４の外周面よりも外側に突出している。また、各第２突部６０２ａの抜止部６５の直径は、対応する第２嵌込孔３７２の幅Ｗ（図５Ｂ参照）よりも大きい。
【００６５】
図７に示すように、クッション６が座部本体３に取り付けられた取付状態において、各第２突部６０２の嵌込部６４は、対応する第２嵌込孔３７２に嵌め込まれる。これにより、クッション６の座部本体３に対する水平方向の移動が規制される。また、各第２突部６０２ａの抜止部６５の外周部は、座部本体３の板部３０の下方に位置し、板部３０の下面に沿って配置される。これにより、クッション６の座部本体３に対する上方への移動が規制される。
【００６６】
（利用）
椅子は図１及び図２に示すように座部本体３にクッション６が取り付けられた状態で利用される。利用者は、椅子を浴槽内の湯水に沈めて浴槽内に設置する。このとき、椅子の湯水は、第１水抜孔３１と第２水抜孔６２とで構成された孔を通過するため、座部２は湯水の抵抗を受け難い。このため、利用者は椅子を浴槽内の湯水に容易に沈めることができる。また、利用者は、各脚１０の図２に示す複数の吸盤１３を浴槽の底面に取り付けて、椅子を浴槽に対して固定できる。
【００６７】
利用者は、浴槽内に設置された椅子のクッション６上に座って入浴できる。また、利用者は洗い場に椅子を設置して利用することもできる。また、利用者は、座部本体３からクッション６を取り外して、椅子の掃除やメンテナンスを行うこともできる。なお、椅子は、クッション６を取り外した状態で利用することもできる。
【００６８】
ところで、椅子は浴室において利用されるため、例えば浴室に設置された浴室乾燥機等により、クッション６が加温されて膨張する場合がある。このように膨張したクッション６は、クッション６の温度が下がれば収縮する。しかし、このような温度変化による膨張・収縮が繰り返されると、クッション６が劣化して恒久的に収縮する可能性がある。本実施形態のクッション６は、このような経年劣化（経時的な劣化）によるクッション６の収縮が生じたときに、クッション６の各部が、上下方向から見て、クッション６の中心（天板部６１の中心）に向かって収縮する傾向にある。これは、例えばクッション６と同じ製造条件で製造されたクッションを繰り返し加温する実験を行うことにより確認される。
【００６９】
上述のようにクッション６が経年劣化により収縮すると、図７に示す各第２突部６０２が、座部本体３に対して水平方向に変位する可能性がある。このため、クッション６が座部本体３から取り外された状態にあるとき、クッション６の各第２突部６０２を対応する第２嵌込孔３７２に嵌め込み難くなる可能性がある。
【００７０】
この点を改善するため、本実施形態における各第２嵌込孔３７２は、クッション６の前記経年劣化による収縮により当該嵌込孔３７に対して変位した嵌込部６４を嵌込可能な領域３７３を有している。なお、領域３７３は、収縮前の嵌込部６４が嵌め込まれる領域と重複しなくてもよいし、一部のみが重複してもよい。
【００７１】
具体的に、各第２嵌込孔３７２の長さ方向は、対応する第２突部６０２の嵌込部６４が、クッション６の経年劣化による収縮に伴って当該第２嵌込孔３７２に対して変位する方向（以下、変位方向という）と平行である。そして、クッション６が座部本体３に取り付けられた状態においては、各第２突部６０２の嵌込部６４は、対応する第２嵌込孔３７２においては、上下方向から見て座部本体３の中心とは反対側の端部に位置する。このとき、当該第２嵌込孔３７２の座部本体３の中心側の縁部と当該嵌込部６４との間には、当該嵌込部６４の前記変位を許容する隙間が形成される。この隙間は、当該嵌込部６４から見て、当該嵌込部６４の変位方向に位置している。このため、クッション６が前記経年劣化により収縮したとしても、利用者は、各第２突部６０２の嵌込部６４を、対応する第２嵌込孔３７２に簡単に嵌め込むことができる。
【００７２】
また、本実施形態のクッション６は、図３に示すように、座部本体３に取り付けられた状態において、周壁部６３と、この内側に配置される座部本体３の周縁部３２との間に、隙間６６が形成される。このため、利用者は、クッション６が前記経年劣化により収縮しても、周壁部６３の内側に座部本体３を容易に嵌め込むことができる。
【００７３】
（補足）
なお、本実施形態の脚部１は、４本の脚１０で構成されているが、座部２を支持した状態で設置できるのであれば、脚１０の数は１〜３、あるいは５以上でもよい。
【００７４】
また、第１水抜孔３１及び第２水抜孔６２は、省略可能である。
【００７５】
また、本実施形態の筒体５４は、第１水抜孔３１の周縁部を構成しているが、ねじ用孔３６の周縁部又は嵌込孔３７の周縁部を構成してもよい。また、成形部５の複数の孔覆部５３において、筒体５４で構成される孔覆部５３の数は、２以上であればよく、制限されない。例えば、複数の孔覆部５３の全ての孔覆部５３が筒体５４で構成されてもよい。また、成形部５の各第２孔覆部５３２は、上覆部５０及び下覆部５１と別部材であるが、上覆部５０及び下覆部５１と連続して一体に形成されてもよい。
【００７６】
また、補強リブ３９の形状は制限されず、例えば補強リブ３９は、座部本体３の長手方向又は短手方向に長い複数のリブで構成されてもよいし、格子状であってもよい。
【００７７】
また、コア部４の材料は、成形部５よりも密度が大きく、かつ水よりも密度が大きければ、金属に限られない。例えば、コア部４の材料は、セメント等であってもよい。同様に成形部５の材料も、ポリプロピレン以外の合成樹脂であってもよく、例えばＦＲＰであってもよい。また、成形部５の材料は、合成樹脂以外の材料であってもよい。
【００７８】
また、本実施形態の座部本体３の各嵌込穴は、座部本体３を貫通して上下両方向に開口した嵌込孔３７であるが、座部本体３を貫通せず、上方にのみ開口した穴であってもよい。すなわち、各嵌込穴は、上下両方向のうち、少なくとも上方に開口していればよい。
【００７９】
また、クッション６は周壁部６３を有さず、座部本体３の上面のみを覆うクッション６であってもよい。
【００８０】
また、金型８の複数のピン８４は、第１型８１に設けられてもよいし、第１型８１と第２型８２の両者に設けられてもよい。
【００８１】
（第２実施形態）
次に図１２及び図１３に基づいて第２実施形態について説明する。以下の第２実施形態の説明では、第１実施形態と共通する構成については同一の符号を付して説明を省略する。
【００８２】
第２実施形態の椅子は、図１２に示すように、背凭部９０及び一対の肘掛部９１を具備しており、例えば、浴室の洗い場に設置されて利用される。
【００８３】
脚部１は金属製のパイプで構成されており、折り畳み可能である。背凭部９０及び一対の肘掛部９１は、脚部１から上方に延び出た延出部１４に取り付けられている。一対の肘掛部９１の各々は、延出部１４に対して回転可能に連結されている。
【００８４】
図１３に示す座部本体３は合成樹脂製である。座部本体３は、図１２に示す脚部１に対して回転可能に連結されている。このため、利用者は、脚部１を折り畳み、一対の肘掛部９１及び座部本体３を延出部１４に沿うように回転することで、椅子をコンパクトにできる。
【００８５】
図１３に示すように、本実施形態の座部本体３も、クッション６の複数の突部６０がそれぞれ嵌め込まれる複数の嵌込孔３７を有している。各嵌込孔３７は、第１実施形態の嵌込孔３７と同様に、クッション６の経年劣化による収縮に伴い当該嵌込孔３７に対して変位した嵌込部６４を嵌込可能な領域３７３を有している。
【００８６】
（補足）
なお、第１実施形態の浴室用椅子の構成と、第２実施形態の浴室用椅子の構成とは、適宜組み合わせてもよい。また、この他、第１実施形態の浴室用椅子及び第２実施形態の浴室用椅子は、適宜設計変更可能である。
【００８７】
（効果）
以上説明した第１実施形態及び第２実施形態の浴室用椅子は、以下に示す特徴を有している。浴室用椅子は座部２を具備している。座部２は、座部本体３と、座部本体３の上面に沿って配置されるクッション６とを備える。座部本体３に、上方に開口した嵌込穴（嵌込孔３７）が形成されている。クッション６に、下方に向かって突出した突部６０が形成されている。突部６０は嵌込穴に嵌め込まれる嵌込部６４を有している。嵌込穴は、クッション６の経年劣化に伴う収縮により嵌込部６４が嵌込穴に対して変位したときに、嵌込部６４を嵌め込み可能な領域３７３を有している。以下、この特徴を有する浴室用椅子を第１の態様の浴室用椅子という。
【００８８】
第１の態様の浴室用椅子は、クッション６が経年劣化により収縮したとしても、利用者は、クッション６の嵌込部６４を座部本体３の嵌込穴の領域３７３に容易に嵌め込むことができる。
【００８９】
また、第１実施形態及び第２実施形態の浴室用椅子は、第１の態様の浴室用椅子の特徴に加えて、以下に示す付加的な特徴を有している。クッション６は、突部６０を複数有している。座部本体３は、嵌込穴を複数有している。複数の突部６０の各々は、水平断面円形の嵌込部６４を有している。複数の嵌込穴の各々が、上下方向から見て当該嵌込穴とクッション６の中心とを通過する仮想線Ｌと平行な方向に長い長穴である。以下、この特徴を有する浴室用椅子を第２の態様の浴室用椅子という。
【００９０】
第２の態様の浴室用椅子は、クッション６が経年劣化により、上下方向から見てクッション６の中心に向かって収縮したとしても、利用者は複数の突部６０を複数の嵌込穴にそれぞれ嵌め込むことができる。
【００９１】
また、第１実施形態及び第２実施形態の浴室用椅子は、第１又は第２の態様の浴室用椅子の特徴に加えて、以下に示す付加的な特徴を有している。クッション６は、ＥＶＡ樹脂から形成されている。以下、この特徴を有する浴室用椅子を第３の態様の浴室用椅子という。
【００９２】
第３の態様の浴室用椅子にあっては、利用者はＥＶＡ樹脂から形成されたクッション６を備えた座部２に快適に座ることができる。
【符号の説明】
【００９３】
Ｌ  仮想線
２  座部
３  座部本体
３７  嵌込孔（嵌込穴）
３７３  領域
６  クッション
６０  突部
６４  嵌込部
【図１】
2020175225.tif 000003
【図２】
2020175225.tif 000004
【図３】
2020175225.tif 000005
【図４】
2020175225.tif 000006
【図５】
2020175225.tif 000007
【図６】
2020175225.tif 000008
【図７】
2020175225.tif 000009
【図８】
2020175225.tif 000010
【図９】
2020175225.tif 000011
【図１０】
2020175225.tif 000012
【図１１】
2020175225.tif 000013
【図１２】
2020175225.tif 000014
【図１３】
2020175225.tif 000015